(57)【特許請求の範囲】
【請求項１】
光源を有する灯体と、前記灯体を回動部により回動可能に支持するアームとを有する照明器具であって、
前記アームと前記灯体とを固定する摩擦力を発生するために外向きの付勢力を発する弾性体と、前記弾性体の付勢力を軽減する操作レバーと、を有し、
前記操作レバーは、全体略Ｖ字形状をしており、Ｖ字の谷間に相当する屈曲された支点部と、Ｖ字の一対の上端に相当する一対の操作部と、前記支点部と前記操作部との間に設けられている、互いに対向する部分からなる一対の押圧部と、を備え、
前記一対の操作部及び前記一対の押圧部は、前記支点部を中心として開閉可能であり、かつ、前記アームの前記回動部は、前記操作レバーにおける前記一対の押圧部と前記アームとを貫通する回動軸を備えている、ことを特徴とする照明器具。
【請求項２】
前記操作レバーの支点部が前記灯体に取付けられて、前記灯体と前記操作レバーとが一体に設けられていることを特徴とする請求項１記載の照明器具。
【請求項３】
前記操作レバーと前記弾性体とが同一部材であることを特徴とする請求項１記載の照明器具。
【発明の詳細な説明】
【技術分野】
【０００１】
本発明は、照射方向を変えることができる照明器具に関するものである。
【背景技術】
【０００２】
従来より、アームに支持された灯体の向きを変えることにより、照射方向を変えることができる照明器具が提案されている（例えば特許文献１参照）。
図６に示すように、特許文献１に記載の照明器具１００は、病院等のベッドサイドに設けられるベッドライドであり、ベッドサイドの取付台等に取付けられて角度及び向きが調整可能なアーム１０１と、アーム１０１の先端に継ぎ手１０２を介して灯具１０３が取付けられている。継ぎ手１０２はＸ方向及びＹ方向に回動可能となっており、継ぎ手１０２内部に設けられているバネによって発生する摩擦力によって、灯具１０３のＸ方向及びＹ方向の回動は、任意の回動位置で停止できるようになっている。ただし、Ｘ方向の摩擦力は、灯具１０３が首振り状態とならないように摩擦力が大きく設定されている。
このため、灯具１０３をＸ方向へ回動させる場合には、灯具１０３に設けられている取っ手１０４を握ってワイヤ１０５を矢印方向へ引くことにより、Ｘ方向の回動を規制している摩擦力を小さくして、回動を行うようになっている。
【特許文献１】特開平２−１９７００８号公報（第１図）
【発明の開示】
【発明が解決しようとする課題】
【０００３】
しかしながら、前述した特許文献１に記載の照明器具１００においては、灯具１０３を回動させる際に、回動を規制している摩擦力を小さくためにワイヤ１０５や取っ手１０４を設けているので、部品点数が多く、組立性が悪いとともに、コストアップを招くという問題があった。
【０００４】
本発明は、従来の問題を解決するためになされたもので、簡潔な構成で灯具を回動可能かつ任意の角度で停止でき、部品点数を減少させることができる照明器具を提供することを目的とする。
【課題を解決するための手段】
【０００５】
本発明の照明器具は、光源を有する灯体と、前記灯体を回動部により回動可能に支持するアームとを有する照明器具であって、前記アームと前記灯体とを固定する摩擦力を発生するために外向きの付勢力を発する弾性体と、前記弾性体の付勢力を軽減する操作レバーと、を有し、前記操作レバーは、全体略Ｖ字形状をしており、Ｖ字の谷間に相当する屈曲された支点部と、Ｖ字の一対の上端に相当する一対の操作部と、前記支点部と前記操作部との間に設けられている、互いに対向する部分からなる一対の押圧部と、を備え、前記一対の操作部及び前記一対の押圧部は、前記支点部を中心として開閉可能であり、かつ、前記アームの前記回動部は、前記操作レバーにおける前記一対の押圧部と前記アームとを貫通する回動軸を備えている構成を有している。
【０００６】
この構成により、灯体をアームに回動可能に支持する回動部に弾性体を設け、この弾性体が発生する外向きの付勢力によってアームと灯体とを固定する摩擦力を発生させるので、所望の回動角度で灯体をアームに固定することができる。また、操作レバーによって弾性体の付勢力を軽減させることにより、摩擦力を軽減して、灯体を所望の角度へ回動させることができる。
【０００７】
また、本発明の照明器具は、前記操作レバーの支点部が前記灯体に取付けられて、前記灯体と前記操作レバーとが一体に設けられている構成を有している。
【０００８】
この構成により、灯体と操作レバーが一体に設けられているので、操作レバーを握って弾性体が発する外向きの付勢力を軽減すると同時に、操作レバーを回動させることにより、灯体を所望の角度に回動させることができる。また、部品点数を減少させることができる。
【０００９】
さらに、本発明の照明器具は、前記操作レバーと前記弾性体とが同一部材である構成を有している。
【００１０】
この構成により、外向きの付勢力によってアームと灯体とを固定する摩擦力を発生させる弾性体と、摩擦力を軽減して灯体を回動させるための操作レバーが同一部材なので、操作レバーを握って摩擦力を軽減すると同時に、操作レバーを回動させることにより、灯体を所望の角度に回動させることができる。また、部品点数を減少させることができる。
【発明の効果】
【００１１】
本発明は、灯体をアームに回動可能に支持する回動部に弾性体を設け、この弾性体が発生する外向きの付勢力によってアームと灯体とを固定する摩擦力を発生させるので、所望の回動角度で灯体をアームに固定することができる。また、操作レバーによって弾性体の付勢力を軽減させることにより、摩擦力を軽減して、灯体を所望の角度へ回動させることができるという効果を有する照明器具を提供することができるものである。
【発明を実施するための最良の形態】
【００１２】
以下、本発明の実施の形態の照明器具について、図面を用いて説明する。
図１は本発明の第１実施形態にかかる照明器具の斜視図、図２は回動部の拡大平面図である。
【００１３】
図１に示すように、本発明の第１実施形態にかかる照明器具１０は、例えば、取付け面である天井１１等に取付けられるライティングレール（図示省略）に沿って移動可能かつライティングレールから電力を供給されるライティングプラグ１２を有しており、ライティングプラグ１２から鉛直下方へ器具固定部材１３が設けられている。
【００１４】
器具固定部材１３の下端部にはアーム２１が固定されている。アーム２１は門型形状をしており、対向する一対の側板２１ａの下端部には回動部３０が設けられている。また、光源であるランプ２２を有する灯体２３の後壁２３ａから後方（図１において右方）へ、剛性の高い一対の対向する灯体支持部２４、２４が突出して設けられており、灯体支持部２４の先端には回動部３０が設けられている。なお、灯体支持部２４，２４は、灯体２３と一体で設けることができるが、別体として取り付けるようにすることもできる。
【００１５】
アーム２１と灯体２３を回動可能に連結する回動部３０では、剛性の高い一対の灯体支持部２４、２４の内側に接してアーム２１の一対の側板２１ａが配置され、その内側に操作レバー３１が配置され、さらに操作レバー３１の内側に外向きに付勢力を発生するスプリング３２が圧縮状態で設けられている。そして、支持部２４、アーム２１、操作レバー３１及びスプリング３２を貫通して、回動軸であるボルト３３及びナット３４が締結されている。
【００１６】
なお、操作レバー３１は、全体略Ｖ字形状をしており、屈曲された支点３１ａ、この支点３１ａに連続する一対の押圧部３１ｂ、３１ｂ及び先端に一対の操作部３１ｃを有しており、押圧部３１ｂ及び操作部３１ｃは、支点３１ａを中心として開閉可能となっている。スプリング３２は、一対の押圧部３１ｂ、３１ｂの間に配置されている。また、左右の押圧部３１ｂ及び操作部３１ｃを別体で設けて、支点３１ａで連結することも可能である。
【００１７】
従って、スプリング３２の外向きの反発力により、操作レバー３１の押圧部３１ｂを外向きに押し、押圧部３１ｂによってアーム２１の側板２１ａを灯体支持部２４に押し付ける。これにより、アーム２１の側板２１ａと灯体支持部２４との間に摩擦力が発生し、灯体支持部２４はアーム２１に固定されることになる。
【００１８】
一方、灯体２３をアーム２１に対して回動させる場合には、操作レバー３１の先端の操作部３１ｃ、３１ｃを握って、両操作部３１ｃ、３１ｃを接近させる。これにより、両押圧部３１ｂ、３１ｂが接近して、スプリング３２を圧縮させるので、スプリング３２の外向きの付勢力は操作レバー３１の押圧部３１ｂで受け止められる。このため、アーム２１の側板２１ａと灯体支持部２４との間の押圧力が軽減され、側板２１ａと灯体支持部２４との間の摩擦力が低下するので、灯体２３はアーム２１に対して回動可能となる。
【００１９】
なお、灯体２３を回動させる際の回動抵抗は、操作レバー３１を握る力によって調整することができる。操作レバー３１を強く握って、スプリング３２の圧縮力を全て押圧部３１ｂで受け止めると、側板２１ａと灯体支持部２４との間の押圧力がゼロになるので、灯体２３は自重で落下（回動）する。そこで、操作レバー３１を握る力を調整して適度の回動摩擦力を付与することにより、灯体２３は回動可能となるとともに、自重で落下するのを防止することができる。灯体２３を所望の角度に設定した後に、操作レバー３１を開放すると、設定した角度で灯体２３はアーム２１に固定される。
【００２０】
以上、説明した第１実施形態にかかる照明器具１０によれば、灯体２３をアーム２１に回動可能に支持する回動部３０にスプリング３２を設け、このスプリング３２が発生する外向きの付勢力によってアーム２１と灯体２３とを固定する摩擦力を発生させるので、所望の回動角度で灯体２３をアーム２１に固定することができる。また、操作レバー３１によってスプリング３２の付勢力を軽減させることにより、摩擦力を軽減して、灯体２３を所望の角度へ回動させることができる。
【００２１】
次に、本発明の第２実施形態にかかる照明器具１０Ｂについて説明する。
図３は本発明の第２実施形態にかかる照明器具の斜視図、図４は回動部の拡大平面図である。なお、前述した第１実施形態と共通する部位には同じ符号を付して、重複する説明を省略することとする。
【００２２】
図３及び図４に示すように、第２実施形態にかかる照明器具１０Ｂでは、灯体２３と操作レバー３５とが一体に設けられている。
操作レバー３５は、全体略Ｖ字形状をしており、灯体２３に取付けられるとともに支点となる取付部３５ａ、この取付部３５ａに連続する一対の押圧部３５ｂ、３５ｂ及び先端に一対の操作部３５ｃを有している。押圧部３５ｂ及び操作部３５ｃは、取付部３５ａを中心として開閉可能となっている。また、左右の押圧部３５ｂ及び操作部３５ｃを別体で設けて、各々灯体２３と一体的に取付けることも可能である。
【００２３】
図４に示すように、回動部３０Ｂでは、アーム２１の一対の側板２１ａ、２１ａの内側に操作レバー３５の押圧部３５ｂが接触して配置され、一対の押圧部３５ｂ、３５ｂの間には、外向きの付勢力を発生するスプリング３２が介装されている。
【００２４】
従って、スプリング３２の外向きの反発力により、操作レバー３５の押圧部３５ｂを外向きに押し、押圧部３５ｂをアーム２１の側板２１ａに押し付ける。これにより、アーム２１の側板２１ａと操作レバー３５の押圧部３５ｂとの間に摩擦力が発生し、操作レバー３５はアーム２１に固定されることになる。すなわち、操作レバー３５が一体的に取付けられている灯体２３が、アーム２１に固定されることになる。
【００２５】
一方、灯体２３をアーム２１に対して回動させる場合には、操作レバー３５の先端の操作部３５ｃ、３５ｃを握って、両操作部３５ｃ、３５ｃを接近させる。これにより、両押圧部３５ｂ、３５ｂが接近して、スプリング３２を圧縮させるので、スプリング３２の外向きの付勢力は操作レバー３５の押圧部３５ｂで受け止められる。このため、アーム２１の側板２１ａと操作レバー３５との間の押圧力が軽減され、側板２１ａと押圧部３５ｂとの間の摩擦力が低下するので、灯体２３はアーム２１に対して回動可能となる。
【００２６】
なお、灯体２３を回動させる際の回動抵抗は、操作レバー３５を握る力によって調整することができる。操作レバー３５を強く握って、スプリング３２の圧縮力を全て押圧部３５ｂで受け止めると、側板２１ａと押圧部３５ｂとの間の押圧力がゼロになるので、灯体２３は自重で落下（回動）する。そこで、操作レバー３５を握る力を調整して適度の回動摩擦力を付与することにより、灯体２３は回動可能となるとともに、自重で落下するのを防止することができる。灯体２３を所望の角度に設定した後に、操作レバー３５を開放すると、設定した角度で灯体２３はアーム２１に固定される。
【００２７】
以上、説明した第２実施形態にかかる照明器具１０Ｂにおいても、前述した第１実施形態にかかる照明器具１０と同様の作用・効果を得ることができる。
さらに、灯体２３と操作レバー３５が一体に設けられているので、操作レバー３５を握ってスプリング３２が発する外向きの付勢力を軽減すると同時に、操作レバー３５を回動させることにより、灯体２３を所望の角度に回動させることができるので、操作性が向上する。また、部品点数を減少させることができる。
【００２８】
なお、本発明の照明器具は、前述した各実施形態に限定されるものでなく、適宜な変形，改良等が可能である。
例えば、前述した各実施形態においては、スプリング３２を、回動中心であるボルト３３位置に配置した場合を例示したが、これに代わり、図５に示すように、操作レバー３１（３５）の他の部分、例えば一対の操作部３１ｃ、３１ｃ（３５ｃ、３５ｃ）間に設けるようにしてもよい。
あるいは、操作レバー３１（３５）自体が、外向きに広がろうとする付勢力を発生するバネ部材とすることにより、スプリング３２を省略することも可能である。この場合には、部品点数をされに減少させることができる。
【図面の簡単な説明】
【００２９】
【図１】本発明の第１実施形態にかかる照明器具の斜視図
【図２】回動部の拡大平面図
【図３】本発明の第２実施形態にかかる照明器具の斜視図
【図４】回動部の拡大平面図
【図５】スプリングの配置の別の例を示す平面図
【図６】従来の照明器具を示す斜視図
【符号の説明】
【００３０】
１０  照明器具
２１  アーム
２２  ランプ（光源）
２３  灯体
３０  回動部
３１  操作レバー
３２  スプリング（弾性体）
【図１】
0005317326.tif 000002
【図２】
0005317326.tif 000003
【図３】
0005317326.tif 000004
【図４】
0005317326.tif 000005
【図５】
0005317326.tif 000006
【図６】
0005317326.tif 000007